(57)【要約】【課題】  印刷装置によっては、コピー部数設定のための専用の操作部を設けることができない場合がある。【解決手段】  コピーの開始指示のためにユーザーにより操作される開始操作手段を備え、前記開始操作手段へのユーザー操作により、コピーの部数が設定可能である。【選択図】  図４
2019004393.tif 000002
【特許請求の範囲】
【請求項１】
コピー機能を備える印刷装置であって、
コピーの開始指示のためにユーザーにより操作される開始操作手段を備え、
前記開始操作手段へのユーザー操作により、コピーの部数が設定可能であることを特徴とする印刷装置。
【請求項２】
前記部数の設定中は、前記開始操作手段へ操作がなされる毎に、前記部数の設定数が１ずつ増えることを特徴とする請求項１に記載の印刷装置。
【請求項３】
前記部数の設定数が所定数に達した場合、前記開始操作手段へ更なる操作がなされたとしても、前記部数の設定数は増えないことを特徴とする請求項１又は２に記載の印刷装置。
【請求項４】
前記部数の設定中において、前記開始操作手段が最後に操作されてから所定時間内に前記開始操作手段への操作がされない場合、コピー動作が開始されることを特徴とする請求項１乃至３のいずれか１項に記載の印刷装置。
【請求項５】
前記部数の設定中において、前記開始操作手段への最後の操作後、所定時間内に再度、前記開始操作手段が操作されると前記部数の設定数が増えることを特徴とする請求項１乃至４のいずれか１項に記載の印刷装置。
【請求項６】
前記印刷装置の動作の停止指示のためにユーザーにより操作される停止操作手段を更に備え、
前記部数の設定中において前記停止操作手段が操作された場合、前記部数の設定数は０に戻ることを特徴とする請求項１乃至５のいずれか１項に記載の印刷装置。
【請求項７】
前記部数を表示する表示手段をさらに備え、
前記表示手段は、前記開始操作手段への操作により設定される前記部数を表示可能であることを特徴とする請求項１乃至６のいずれか１項に記載の印刷装置。
【請求項８】
コピー動作が開始され、コピーが進むと、前記表示手段に表示されている設定済みの前記部数の表示が１ずつ減ることを特徴とする請求項７に記載の印刷装置。
【請求項９】
前記開始操作手段として、カラーコピーの開始を指示する第１ボタンと、モノクロコピーの開始を指示する第２ボタンと、を備え、
前記第１ボタンと前記第２ボタンとのうち一方のボタンへの操作による前記部数の設定中に他方のボタンが操作されたとしても、前記部数の設定数は変化しないことを特徴とする請求項１乃至８のいずれか１項に記載の印刷装置。
【請求項１０】
前記開始操作手段は、前記表示手段とは別に設けられることを特徴とする請求項７乃至９のいずれか１項に記載の印刷装置。
【請求項１１】
コピー機能を備える印刷装置であって、
所定の操作手段を備え、
前記所定の操作手段へのユーザー操作により、コピーの開始指示と、コピーの部数の設定と、が可能であることを特徴とする印刷装置。
【請求項１２】
前記部数の設定中は、前記所定の操作手段へ操作がなされる毎に、前記部数の設定数が１ずつ増えることを特徴とする請求項１１に記載の印刷装置。
【請求項１３】
前記部数の設定数が所定数に達した場合、前記所定の操作手段へ更なる操作がなされたとしても、前記部数の設定数は増えないことを特徴とする請求項１１又は１２に記載の印刷装置。
【請求項１４】
前記部数の設定中において、前記所定の操作手段が最後に操作されてから所定時間内に前記所定の操作手段への操作がされない場合、コピー動作が開始されることを特徴とする請求項１１乃至１３のいずれか１項に記載の印刷装置。
【請求項１５】
前記部数の設定中において、前記所定の操作手段への最後の操作後、所定時間内に再度、前記所定の操作手段が操作されると前記部数の設定数が増えることを特徴とする請求項１１乃至１４のいずれか１項に記載の印刷装置。
【請求項１６】
前記印刷装置の動作の停止指示のためにユーザーにより操作される停止操作手段を更に備え、
前記部数の設定中において前記停止操作手段が操作された場合、前記部数の設定数は０に戻ることを特徴とする請求項１１乃至１５のいずれか１項に記載の印刷装置。
【請求項１７】
前記部数を表示する表示手段をさらに備え、
前記表示手段は、前記所定の操作手段への操作により設定される前記部数を表示可能であることを特徴とする請求項１１乃至１６のいずれか１項に記載の印刷装置。
【請求項１８】
コピー動作が開始され、コピーが進むと、前記表示手段に表示されている設定済みの前記部数の表示が１ずつ減ることを特徴とする請求項１７に記載の印刷装置。
【請求項１９】
前記所定の操作手段として、第１ボタンと、第２ボタンと、を備え、
前記第１ボタンと前記第２ボタンとのうち一方のボタンへの操作による前記部数の設定中に他方のボタンが操作されたとしても、前記部数の設定数は変化しないことを特徴とする請求項１１乃至１８のいずれか１項に記載の印刷装置。
【請求項２０】
前記所定の操作手段は、前記表示手段とは別に設けられることを特徴とする請求項１７乃至１９のいずれか１項に記載の印刷装置。
【発明の詳細な説明】
【技術分野】
【０００１】
本発明は、印刷装置に関する。特に、コピーの部数設定に関する。
【背景技術】
【０００２】
コピーを行う場合に、コピーの部数を設定するための機能が印刷装置に設けられている。特許文献１では、印刷装置の操作部に、コピー部数を設定するため４０個のワンタッチキーが設けられている。コピーを行う場合、ユーザーは、この４０個のワンタッチキーのうち設定したい部数と同じ番号のワンタッチキーを操作することにより、コピー部数が設定される。そして、部数設定後に、ワンタッチキーの隣に設けられたスタートキーを操作することにより、コピーが開始される。
【先行技術文献】
【特許文献】
【０００３】
【特許文献１】特開２００１−２２３８２９号公報
【発明の概要】
【発明が解決しようとする課題】
【０００４】
安価な印刷装置や小型な印刷装置においては、特許文献１のように、コピー部数設定のための専用の操作部を設けることができない場合がある。しかしながら、このような印刷装置においても、コピーの部数が設定を行うことが求められる。
【０００５】
上記の課題を鑑み、本発明は、コピー部数設定のための専用の操作部を備えていない印刷装置であっても、容易にコピー部数の設定を行うことが可能な技術を提供することを目的とする。
【課題を解決するための手段】
【０００６】
本発明の印刷装置は、コピー機能を備える印刷装置であって、コピーの開始指示のためにユーザーにより操作される開始操作手段を備え、前記開始操作手段へのユーザー操作により、コピーの部数が設定可能である。
【発明の効果】
【０００７】
本発明によれば、コピー部数設定のための専用の操作部を備えていない印刷装置であっても、容易にコピー部数の設定を行うことが可能となる。
【図面の簡単な説明】
【０００８】
【図１】本発明が適用可能な印刷装置の外観を示す模式図である。
【図２】本発明の一実施形態における操作パネルを示す模式図である。
【図３】本発明が適用可能な印刷装置の構成を説明するためのブロック図である。
【図４】本発明の一実施形態における制御フローを示すフローチャートである。
【図５】本発明の一実施形態における表示を示す模式図である。
【図６】本発明の一実施形態における制御フローを示すフローチャートである。
【図７】本発明の一実施形態における制御フローを示すフローチャートである。
【発明を実施するための形態】
【０００９】
以下、図面を参照して本発明の実施形態を説明する。尚、以下の各実施形態は本発明を限定するものでなく、また各実施形態で説明されている特徴の組み合わせの全てが本発明の解決手段に必須のものとは限らない。
【００１０】
また、以下の実施形態では、印刷装置として、インクジェットプリンタを例に挙げて説明する。ただし、印刷装置はこれに限定されず、レーザービームプリンタ等の種々の装置が適用可能である。また、以下の実施形態では、コピー機能（読取機能と印刷機能）を備える印刷装置を例に挙げて説明するが、コピー機能だけでなく、電話機能やＦＡＸ機能等の複数の機能を備える複合機であってもよい。
【００１１】
＜印刷装置の構成＞
図１は印刷装置１００の外観を示す模式図である。本実施形態では、印刷装置１００として、読取機能（スキャン機能）と印刷機能を有するＭｕｌｔｉ  Ｆｕｎｃｔｉｏｎ  Ｐｒｉｎｔｅｒ（ＭＦＰ）を例にしている。図１において、原稿台１０１はガラス状の透明な台であり、画像読み取り部（図３のスキャナ３２５参照）によって原稿をスキャンする場合に、この原稿台１０１に原稿を載せる。原稿蓋１０２は、スキャナで読取を行う際に読取光が外部に漏れないようにするための蓋である。給紙ユニット１０３は、用紙をセットする挿入口である。給紙ユニット１０３にセットされた用紙は一枚ずつ搬送され、印刷部（図３の印刷ヘッド３１４参照）により用紙に印刷が行われる。印刷が行なわれた用紙は、排紙トレイ１０５から排出される。操作パネル１０４は、ユーザーが設定値の入力や処理の実行を指示するための操作部分であり、印刷装置１００の装置外面に設けられる。
【００１２】
図２は、操作パネル１０４の一例を示す模式図である。図２に示すように、操作パネル１０４は、印刷部数が表示可能な表示部２０１と用紙サイズが表示可能な表示部２０２を含む表示器が設けられている。表示器は、発光ダイオード（ＬＥＤ）を用いた表示装置であり、数字や文字情報の所定の形状枠をＬＥＤにより照らすことで表示する簡易なディスプレイであり、タッチパネル機能は備えていない。なお、本実施形態におけるコピー部数の表示は、印刷部数の表示と同じであるため、印刷部数と表現することもある。また、操作アイテムとして、電源ボタン２０３、スタートボタン２０４、ストップボタン２０５、用紙選択ボタン２０６、確定ボタン２０７が設けられている。各ボタンは、操作用のハードキーであり、表示部とは別に設けられる。
【００１３】
電源ボタン２０３は電源のＯＮ／ＯＦＦを操作するためのボタンであり、電源ボタン２０３が押下されると、印刷装置１００の電源が、投入或いは切断される。
【００１４】
スタートボタン２０４は、ユーザーが印刷装置１００に対してコピー等の動作の開始指示を行う際に操作される開始操作ボタンであり、スタートボタン２０４が押下されると、印刷装置１００がコピーを行うための動作が開始される。具体的には、ユーザーによりスタートボタン２０４が操作されると、制御部からコピー機能の実行部（画像読み取り部、印刷部を含む）へ動作開始指示が送られる。なお、スタートボタン２０４は、印刷を伴わないスキャン機能（スキャンにより得られる電子データは印刷されずにＰＣ等に送られる機能）の開始指示のためのボタン機能を兼ねていてもよい。
【００１５】
本実施形態では、スタートボタン２０４の操作により、コピーの部数が設定可能である。つまり、スタートボタン２０４は、コピー動作の開始指示を行うためのボタン機能と、コピーの部数を設定するためのボタン機能を兼ねている。コピー部数設定時は、ユーザーがスタートボタン２０４を操作（押下）することにより、コピーの部数の設定数が変更される。部数の設定中においては、スタートボタン２０４を一回操作する度に、表示部２０１に表示される印刷部数の設定数が１ずつ増える。コピー部数の設定方法についての詳細は、図４−７を用いて後述する。
【００１６】
また、スタートボタン２０４として、カラーコピー用のスタートボタンとモノクロコピー用のスタートボタンとが別々に設けられてもよい。ただし、一方のスタートボタン（例えばカラーコピー用のスタートボタン）の操作により部数設定がされている途中で、他方のボタン（例えばモノクロコピー用のスタートボタン）が操作されたとしても、部数の設定数は変化しない。つまり、一方のスタートボタンが操作されて部数が変更された後のタイミングであり、且つ、コピー動作開始前のタイミングにおいて、他方のスタートボタンが操作されたとしても、この他方のスタートボタンの操作による部数変更は行われない。あるコピーの部数設定中においては、最初に押下されたスタートボタンが有効となり、他方のスタートボタンは無効扱いとなる。
【００１７】
ストップボタン２０５は、ユーザーが印刷装置１００に対してコピー等の動作の停止指示を行う際に操作される停止操作ボタンであり、ストップボタン２０５が押下されると、印刷装置１００の動作が停止する。また、本実施形態では、コピー部数の設定中にストップボタン２０５が押下されると、表示部２０１に表示される部数の設定数は０枚に戻る。
【００１８】
用紙選択ボタン２０６は、印刷装置１００で使用される用紙のサイズを設定するための操作ボタンである。用紙選択ボタン２０６が押下される度に、表示部２０２に表示される用紙サイズを示すアイコンが切り替わり、確定ボタン２０７の押下により用紙サイズの設定が確定される。
【００１９】
図３は、本実施形態における印刷装置１００の制御系の構成を示すブロック図である。マイクロプロセッサ形態のＣＰＵ３０１は、内部バス３０２を介して接続されているＲＯＭ形態のプログラムメモリ３０３とＲＡＭ形態のデータメモリ３０４の内容とに従って動作する。データメモリ３０４は、ＣＰＵ３０１が制御プログラム実行に際して利用するワークメモリ３０５、記録用紙上に形成される画像データを格納する画像メモリ３０６などの用途に利用される。
【００２０】
ＣＰＵ３０１は、インタフェース制御回路３０７を制御し、外部インタフェースを経由して接続されているホストコンピュータ３０８から印刷用のジョブデータを受け取ったり、印刷装置のステータスをホストコンピュータ３０８へ通知したりすることができる。なお、印刷装置１００は、ホストコンピュータ３０８と無線通信するための手段を搭載してもよい。具体的には、通信部としてＷＬＡＮ（Ｗｉｒｅｌｅｓｓ  ＬＡＮ）モジュールを備え、この通信モジュールを介してＰＣやスマートフォン等のデバイスとデータ通信を行う。なお、無線通信の方式としては、Ｎｅａｒ  Ｆｉｅｌｄ  Ｃｏｍｍｕｎｉｃａｔｉｏｎ（ＮＦＣ）の通信規格、Ｂｌｕｅｔｏｏｔｈ（登録商標）  Ｌｏｗ  Ｅｎｅｒｇｙ（ＢＬＥ）の通信規格でもよい。印刷装置１００は各規格に準拠した通信モジュールを備えるとよい。
【００２１】
ＣＰＵ３０１は、モータ制御回路３０９を介して、印刷装置１００の機構を駆動する各種モータを制御することができる。搬送モータ３１０は、給紙ローラ、搬送ローラ、排紙ローラを駆動し、用紙を給紙ユニット１０３から排紙トレイ１０５に至るまでの搬送を行う。キャリッジモータ３１１（本図中ではＣＲモータと記載）は、キャリッジの往復駆動を行う。また回復モータ３１２は、ヘッド回復機構の駆動を行い、キャリッジの駆動と同期して制御することで印刷ヘッド３１４の状態を適切に保つための回復動作を実行する。
【００２２】
ＣＰＵ３０１は、印刷動作時において、ヘッド制御回路３１３を介して印刷ヘッド３１４を制御することができる。具体的には、ＣＰＵ３０１は、印刷ヘッド３１４を搭載したキャリッジの往復動作に同期して印刷ヘッド３１４を制御することで、記録用紙上に画像が形成される。
【００２３】
給紙ユニット用のカセットセンサ３１６は、フォトインタラプタとメカスイッチで構成されている。印刷装置１００に対してユーザーが用紙を給紙ユニットにセット、もしくは除去したことを検知し、センサ制御回路３１５を介してＣＰＵ３０１がその検知結果を取得することができる。
【００２４】
ＣＰＵ３０１は、パネル制御回路３１７を介して印刷装置１００の装置外面に設けられた操作パネル３１８（操作パネル１０４）を制御する。具体的には、ＣＰＵ３０１は、操作パネル３１８上に配置された表示装置３２０（表示部２０１及び表示部２０２を含む表示器）に所望の情報を表示する。さらに、ＣＰＵ３０１は、操作パネル３１８上のハードキー群３１９（操作ボタン２０３〜２０７）へのユーザーからの操作を検出したりすることができる。
【００２５】
ＣＰＵ３０１は、スキャナ制御回路３２４を介して、スキャナ３２５を制御し、スキャナ３２５の原稿台１０１に乗せられた原稿の画像を読み取ることができる。
【００２６】
ＣＰＵ３０１は、メモリカード制御回路３２１を介して印刷装置１００の装置外面に設けられたメモリカードスロット３２２に装着されたメモリカード３２３内の各種ファイルを読み書きすることができる。スキャナ３２５で読み取った画像は、データメモリ３０４中の画像メモリ３０６に格納された後、ホストコンピュータ３０８に送信したり、メモリカード３２３に画像ファイルとして保存したりすることができる。また、ＣＰＵ３０１は、スキャナ３２５で読み取られた画像を、ヘッド制御回路３１３や印刷ヘッド３１４等の印刷機構を制御して印刷することで、コピー機能を実行することができる。本実施形態において、コピー機能を実行する実行部は、スキャナ３２５、スキャナ制御回路３２４、印刷ヘッド３１４、ヘッド制御回路４１４を含む。
【００２７】
＜制御フロー＞
次に、本実施形態におけるコピー部数の設定と表示に関する制御フローを説明する。図４は、コピー部数の設定とコピー実行中の部数表示の制御フローを示すフローチャートである。図４のフローは、例えば、ＣＰＵ３０１がプログラムメモリ３０３に格納されたプログラムをＲＡＭ形態のデータメモリ３０４に読み出して実行することにより実現される。なお、本フローの開始前において、印刷装置がコピー待機状態の場合は、図５（ａ）に示す画面が表示部２０１に表示されている。図５（ａ）に、Ｓ４０２でコピー待機中と判定された場合に表示される表示例を示す。図５（ａ）では、表示部２０１の部数の表示箇所には０が表示されており、この表示状態が待機中であることを示している。
【００２８】
まずＳ４０１では、ＣＰＵ３０１は、スタートボタン２０４が操作（押下）されたかを判定する。Ｓ４０１で押下されたと判定されたと判定された場合（Ｓ４０１でＹＥＳの場合）はＳ４０２に進み、押下されていないと判断した場合（Ｓ４０１でＮＯの場合）はこのフローは終了する。
【００２９】
Ｓ４０２では、ＣＰＵ３０１は、コピー待機中であるかを判定する。具体的には、コピー実行可能な状態（例えば、印刷を実行していない状態や、クリーニング処理を実行していない状態）をコピー待機中であると判定する。コピー実行可能でない状態の場合には、コピー待機中でないと判定する。Ｓ４０２において、コピー待機中であると判定された場合（Ｓ４０２でＹＥＳの場合）はＳ４０３へ進み、コピー待機中でないと判定された場合（Ｓ４０２でＮＯの場合）はこのフローを終了する。
【００３０】
Ｓ４０３では、ＣＰＵ３０１は、コピー部数の設定中の画面として図５（ｂ）に示す画面を表示する。図５（ｂ）では、表示部２０１に、コピー実行される部数の設定数が表示され、コピー部数設定中（コピー実行開始判断までの間）は、表示部２０１の部数の数字部分が点滅する。このＳ４０３の処理の詳細については、図６を用いて後述する。
【００３１】
Ｓ４０４では、ＣＰＵ３０１は、コピー実行開始判定をする。具体的には、ＣＰＵ３０１は、スタートボタン２０４が最後に押下されてからの経過時間を基にコピー実行開始の判定を行う。つまり、最後にスタートボタン２０４が押下されてからボタン操作がない時間が所定時間（Ｎ秒）経過した場合、ＣＰＵ３０１は、部数の設定が終了したと判断する。つまり、ＣＰＵ３０１はコピー動作開始を決定する。ただし、ＣＰＵ３０１は、スタートボタン操作後の経過時間がＮ秒経過したかどうかだけでなく、確定ボタン２０７が押下されたかによって判断してもよい。つまり、スタートボタン操作後の経過時間がＮ秒経過していなくても、確定ボタン２０７が押下されたことに応じてＣＰＵ３０１はコピー動作開始と決定してもよい。なお、本実施形態では、最後にスタートボタン２０４が押下されてからＮ秒経過しておらず、且つ、確定ボタン２０７も押下されていない場合については、コピー動作開始条件を満たさない。つまり、この場合はまだユーザーによるコピー部数の設定中であると判断される。Ｓ４０４でコピー動作開始条件を満たさなかった場合（Ｓ４０４でＮＯ）、Ｓ４０３へ戻り、コピー部数の設定中の画面を引き続き表示する。Ｓ４０４でコピー動作開始条件を満たした場合（Ｓ４０４でＹＥＳ）、Ｓ４０５へ進む。なお、仮にユーザーが１部だけコピーをしたい場合、ユーザーはＳ４０１における１回のスタートボタンの操作のみでよい。つまり、Ｓ４０１においてスタートボタン２０４の押下が判定され、Ｓ４０２でコピー実行可能状態と判定されると、Ｓ４０３のステップにおいてＮ秒経過後に、Ｓ４０４にてコピー実行開始と判定される。
【００３２】
Ｓ４０５では、ＣＰＵ３０１は、設定されたコピー部数に基づきコピー動作の実行を開始させる。具体的には、ＣＰＵ３０１は、印刷装置１００においてコピー機能を実行する各手段にコピー動作開始のための指示を行う。
【００３３】
そして、Ｓ４０６では、ＣＰＵ３０１は、コピー実行中の画面として図５（ｃ）に示す画面を表示する。図５（ｃ）では、表示部２０１の部数の数字部分が点灯表示される。このＳ４０６の処理の詳細については、図７を用いて後述する。
【００３４】
Ｓ４０７では、ＣＰＵ３０１は、設定された部数のコピーが全て終了したかを判定する。コピー全てが完了していない場合（Ｓ４０７でＮＯの場合）、コピー実行中の画面を引き続き表示する。コピー全てが完了した場合は（Ｓ４０７でＹＥＳの場合）、Ｓ４０８へ進み、図５（ａ）のコピー待機中の画面表示をする。
【００３５】
図６を用いて、図４のステップＳ４０３におけるコピー部数の設定処理について説明する。図６は、Ｓ４０３の処理の詳細を示すフローチャートである。
【００３６】
まずＳ６０１では、ＣＰＵ３０１は、現在設定されているコピー部数の情報を取得する。初期値は１である。Ｓ６０２では、ＣＰＵ３０１は、スタートボタン２０４が押下されたかを判定する。Ｓ６０２で押下された場合Ｓ６０３に進み、Ｓ６０３でＣＰＵ３０１は、部数の設定数が、一度のコピー動作で設定可能な部数の上限（所定数）に達しているかを判定する。例えば、一度のコピー動作で設定可能な部数の上限値が２０である場合、Ｓ６０１で取得された現在の設定部数が２０に達しているかを判定する。
【００３７】
Ｓ６０３で、Ｓ６０１で取得された設定部数が上限に達していないと判定された場合（Ｓ６０１でＮＯの場合）、Ｓ６０４へ進む。Ｓ６０４では、ＣＰＵ３０１は、Ｓ６０２におけるスタートボタン２０４の操作に基づき設定部数を１つ増やす。つまり、コピー部数がカウントアップされる。一方、Ｓ６０３で、Ｓ６０１で取得された設定部数が上限に達していると判定された場合（Ｓ６０１でＹＥＳの場合）、Ｓ６０２においてスタートボタン２０４が操作されたとしても、設定部数は増やさない。つまり、コピー部数はカウントアップされずに上限値のまま（例えば２０部のまま）Ｓ６０５へ進む。Ｓ６０５では、ＣＰＵ３０１は、現在の設定部数として、表示部２０１に部数を表示する。Ｓ６０５の処理後は図４のフローに戻る。
【００３８】
このように、本実施形態では、スタートボタン２０４の操作により、コピーの部数が設定可能となる。なお、図４のＳ４０４のコピー動作開始条件が満たされるまでは、再度図６の処理が行われる。具体的には、１回目のＳ６０２のスタートボタン２０４の操作から所定時間（Ｎ秒）経過するまでの間は、図６の処理が繰り返される。この所定時間内に再度Ｓ６０２でスタートボタン２０４のユーザー操作が行われると、部数の上限値に達していなければ、このユーザー操作に基づきコピー部数がカウントアップされる。つまり、部数設定中においては、スタートボタン２０４が操作される度に、表示部２０１に表示される部数の設定数が１ずつ増える。
【００３９】
次に、図７を用いて、図４のステップＳ４０６におけるコピー実行中の処理について説明する。図７は、Ｓ４０６の処理の詳細を示すフローチャートである。
【００４０】
Ｓ７０１では、ＣＰＵ３０１は、コピーが１部完了したかを判定する。コピーが１部完了と判定された場合（Ｓ７０１でＹＥＳの場合）、Ｓ７０２へ進む。コピーが１部完了していないと判定された場合（Ｓ７０１でＮＯの場合）、Ｓ７０３へ進み、引き続き現状の部数を残り部数として、表示部２０１に表示する（図５（ｃ）参照）。
【００４１】
Ｓ７０２では、ＣＰＵ３０１は、コピー部数の設定数を１つ減らす。つまり、部数をカウントダウンする。そして、Ｓ７０３では、ＣＰＵ３０１は、カウントダウン後の部数をコピーの残り部数として表示部２０１に表示する（図５（ｃ）参照）。Ｓ７０３の処理後は、図４のフローに戻る。
【００４２】
図４のＳ４０７において設定済みの部数のコピーが全て完了したかを判定するため、この条件を満たされるまでは、図７の処理が繰り返される。つまり、本実施形態では、設定された部数に基づきコピーが実行されると、コピーが進むにつれ、表示部２０１に表示される部数の数字が１ずつ減る。
【００４３】
以上説明したとおり、本実施形態では、印刷装置にコピー部数を設定するための専用の操作アイテムが備えられていない場合でも、スタートボタン２０４を用いてユーザーは容易にコピー部数を設定可能となる。また、スタートボタン２０４が部数設定とコピー開始指示の両機能を兼ねても、ＣＰＵ３０１によりスタートボタン２０４の操作後に所定時間経過したらコピー動作開始となるため、ユーザー操作も煩雑にならない。また、表示部２０１は、部数設定時の表示とコピー実行時の表示を兼ねている。つまり、コピー部数の設定時にスタートボタン２０４の操作により１ずつ増えた表示部２０１の数字が、コピー実行時にはコピーの進捗に伴い１ずつ減る。よって、印刷装置が簡易なディスプレイしか備えていない場合であっても、ユーザーは設定中の部数とコピーの残り部数とを容易に認識可能となる。
【００４４】
＜その他の実施形態＞
上述した実施形態は、以下の処理を実行することによっても実現される。すなわち、上述した実施形態のシステム制御部の機能を実現するソフトウェア（プログラム）を、ネットワーク又は各種記憶媒体を介してシステム或いは装置に供給し、そのシステム或いは装置のコンピュータ（ＣＰＵやＭＰＵ等のプロセッサ）がプログラムを読み出して実行する処理である。また、プログラムは１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【００４５】
１００  印刷装置
１０４  操作パネル
２０１  表示部
２０２  表示部
２０３  電源ボタン
２０４  スタートボタン
２０５  ストップボタン
２０６  用紙選択ボタン
２０７  確定ボタン
【図１】
2019004393.tif 000003
【図２】
2019004393.tif 000004
【図３】
2019004393.tif 000005
【図４】
2019004393.tif 000006
【図５】
2019004393.tif 000007
【図６】
2019004393.tif 000008
【図７】
2019004393.tif 000009